(57)【要約】【課題】  本発明は、オルゴールの音楽によりユーザを効果的にリラックス状態にすることができ、ひいてはオルゴール療法を効果的に実施することが可能なオルゴール付属ベッドの提供を課題とする。【解決手段】 ベッドの寝台１の内部に空洞１０が形成され、該空洞１０内の所定箇所にオルゴール１００が配置されおり、オルゴール１００から出力される音楽が空洞１０内を共鳴することにより、寝台１上に横たわっているユーザＵに対してオルゴール１００の音楽を体感させることができる。【選択図】      図１
2010104663.tif 000002
【特許請求の範囲】
【請求項１】
ベッドの寝台の内部に空洞が形成され、該空洞内の所定箇所にオルゴールが配置されおり、オルゴールから出力される音楽が空洞内を共鳴することにより、寝台上に横たわっているユーザに対してオルゴールの音楽を体感させることを特徴とするオルゴール付属ベッド。
【請求項２】
前記寝台の上面に孔部が形成され、空洞内を共鳴するオルゴールの音楽を該孔部から取り出す請求項１に記載のオルゴール付属ベッド。
【請求項３】
前記寝台の上方にユーザを取り囲む態様のドーム部材が設けられている請求項１または請求項２に記載のオルゴール付属ベッド。
【請求項４】
前記ドーム部材は上部の横断面が円弧状に形成されている請求項３に記載のオルゴール付属ベッド。
【請求項５】
前記ドーム部材は表面または裏面に電磁波防御シールドが展設されている請求項３または請求項４に記載のオルゴール付属ベッド。
【請求項６】
前記ドーム部材は、柿渋成分を含有する塗料により塗装されている請求項３から請求項５のいずれかに記載のオルゴール付属ベッド。
【発明の詳細な説明】
【技術分野】
【０００１】
本発明は、人を癒すためのオルゴールが設けられたオルゴール付属ベッドに関するものである。
【背景技術】
【０００２】
従来、ベッドにおいてスピーカを付属して、ユーザがベッドに横たわりながら音楽を聞くものが数多く知られている。特に音楽をヒーリング効果のあるものにした場合には、ユーザをリラックスした状態にさせることができる。
【０００３】
例えば、 ベッド用マット１の頭側の左・右両側部に高周波帯の音を再生するＬ・Ｒチャンネルスピーカー２ａ・２ｂを内設すると共に、ベッド用マット１の足下部および／または両側部に１個または複数個の低周波帯の音を振動として再生する振動発生器３を内設する。そして、異常事態の発生を検知した検知センサーＳの信号を非常信号発生回路７が受信して、切換え回路６により非常信号回路に切換えて、前記Ｌ・Ｒチャンネルスピーカー２ａ・２ｂより非常音を発すると共に、前記振動発生器３より非常振動を発するものが知られている（特許文献１参照）。
【０００４】
ところで、最近、オルゴールの音楽が人を癒す効果があるものとしてオルゴール療法が注目され始めている。オルゴールの生の響きにある「高周波・低周波」が脳の中枢部、脳幹と視床下部の血流を上げ神経とホルモンの分泌を整える根本療法である。熱帯雨林にある超低周波から超高周波が脳の中枢部、脳幹と視床下部の血流を促進する貴重な研究成果が神経科学国際大会で発表された。
【０００５】
このことからベッドにスピーカの代わりにオルゴールを備え付け、該オルゴールの音楽によりベッドに横たわっているユーザをリラックス状態にすることが注目されている。
【０００６】
【特許文献１】特開２００１−２９３０５７号公報
【発明の開示】
【発明が解決しようとする課題】
【０００７】
本発明は、上述の技術的背景に鑑みてなされたものであって、オルゴールの音楽によりユーザを効果的にリラックス状態にすることができ、ひいてはオルゴール療法を効果的に実施することが可能なオルゴール付属ベッドの提供を課題とする。
【課題を解決するための手段】
【０００８】
本発明は、上記課題を解決するために、ベッドの寝台の内部に空洞が形成され、該空洞内の所定箇所にオルゴールが配置されおり、オルゴールから出力される音楽が空洞内を共鳴することにより、寝台上に横たわっているユーザに対してオルゴールの音楽を体感させることを特徴とする。
【０００９】
これによれば、オルゴールから出力される音楽が空洞内を共鳴することにより、寝台上に横たわっているユーザに対してオルゴールの音楽を体感させることができる。すなわち、オルゴールの音楽をユーザの耳に単に聞かせるだけでなく、空洞内で共鳴しているオルゴールの音楽を寝台を通じてユーザに体感させることにより、オルゴールの音楽に包まれるようにしてユーザを効果的にリラックス状態にすることができる。
【００１０】
なお、本発明におけるベッドは、いわゆる脚が付いたベッドはもちろんのこと、床面に直接敷設するものも含まれるものとする。
【００１１】
また、前記寝台の上面に孔部が形成され、空洞内を共鳴するオルゴールの音楽を該孔部から取り出すのが好ましい。これによれば、空洞内を共鳴するオルゴールの音楽を該孔部から抽出される。このため、例えばユーザの頭部付近に孔部を穿設した場合には、オルゴールの音楽における寝台を通じた体感に加えて、さらにオルゴールの音楽をユーザの耳に直接聞かせることができる。また、ユーザの腰部付近に孔部を穿設した場合には、オルゴールの音楽における寝台を通じた体感に加えて、オルゴールの音楽をユーザの腰に直接当てることができる。
【００１２】
また、前記寝台の上方にユーザを取り囲む態様のドーム部材が設けられているのが好ましい。これによれば、寝台や孔部を通じて寝台上に出たオルゴールの音楽がドーム部材内で反響するようにしてユーザの周りに響き亘るため、ユーザに対してオルゴールの音楽を体全体でより一層体感させることができる。
【００１３】
また、前記ドーム部材は上部の横断面が円弧状に形成されているのが好ましい。これによればオルゴールの音楽のドーム部材内における反響効率を向上させることができる。
【００１４】
また、前記ドーム部材は表面または裏面に電磁波防御シールドが展設されているのが好ましい。これによればドーム部材外の電磁波をカットすることができ、ドーム部材内のユーザをよりリラックス状態にすることができる。
【００１５】
また、前記ドーム部材は、柿渋成分を含有する塗料により塗装されているのが好ましい。これによれば柿渋成分によりドーム部材内の消臭効果および抗菌効果を向上させることができる。
【発明の効果】
【００１６】
本発明によれば、オルゴールから出力される音楽が空洞内を共鳴することにより、寝台上に横たわっているユーザに対してオルゴールの音楽を体感させることができる。すなわち、オルゴールの音楽をユーザの耳に単に聞かせるだけでなく、空洞内で共鳴しているオルゴールの音楽を寝台を通じてユーザに体感させることにより、オルゴールの音楽に包まれるようにしてユーザを効果的にリラックス状態にすることができ、ひいてはオルゴール療法を効果的に実施することが可能となる。
【発明を実施するための最良の形態】
【００１７】
［実施形態１］
次に本発明の一実施形態に係るオルゴール付きベッド（以下、本ベッドという）について図１〜図３を参照しつつ説明する。
【００１８】
図１は本ベッドの側面図、図２は本ベッドの平面図、図３は本ベッドの頭部側から見た正面図、図４は本ベッドの足部側から見た背面図である。
【００１９】
本ベッドは、図１〜図４に示すように、ユーザ（Ｕ）が横たわる寝台（１）と、該寝台（１）の頭部側端部に立設された天板（２）と、該寝台（１）の足部側端部に立設された足板（３）とからなり、天板（２）と足板（３）の間において床面から所定高さの位置で寝台（１）が水平状態に設けられている。これら寝台（１）、天板（２）および足板（３）の組立構成については従来のベッドのものと同じものである。
【００２０】
前記寝台（１）は、内部にユーザ（Ｕ）の頭部側から足部側まで延びる空洞（１０）が設けられ、該空洞（１０）の頭部付近の位置にオルゴール（１００）が配置されている。このオルゴール（１００）は一般に使用されるオルゴール（１００）と同じものであり、空洞（１０）の内部にあらかじめ備え付けられていてもよいし、後から入れるものであってもよい。
【００２１】
これによりオルゴール（１００）から出力される音楽が空洞（１０）内を共鳴することにより、寝台（１）上に横たわっているユーザ（Ｕ）に対してオルゴールの音楽を体感させることができる。
【００２２】
すなわち、オルゴール（１００）の音楽をユーザ（Ｕ）の耳に単に聞かせるだけでなく、空洞（１０）内で共鳴しているオルゴール（１００）の音楽を寝台（１）を通じてユーザ（Ｕ）に体感させることにより、オルゴール（１００）の音楽に包まれるようにしてユーザ（Ｕ）を効果的にリラックス状態にすることができ、ひいてはオルゴール療法を効果的に実施することが可能となる。
【００２３】
また、前記寝台（１）の上面に３個の孔部（４）（４）（５）が形成されている。
【００２４】
このうち孔部（４）（４）はユーザ（Ｕ）の頭部付近の左右両側位置に設けられており、オルゴール（１００）の音楽における寝台（１）を通じた体感に加えて、さらにオルゴール（１００）の音楽をユーザ（Ｕ）の耳に直接聞かせることができる。
【００２５】
また、孔部（５）はユーザ（Ｕ）の腰部付近に設けられており、オルゴール（１００）の音楽における寝台（１）を通じた体感に加えて、オルゴール（１００）の音楽をユーザ（Ｕ）の腰に直接当てることができる。
【００２６】
孔部（４）（４）（５）にはメッシュ部材が設けられており、オルゴール（１００）の音楽を取り出しつつも、小物やゴミなどが該孔部から空洞内に落ちることを防止するものとなされている。
【００２７】
なお、本実施形態では孔部（４）（４）（５）を設けるものとしたが、設けないものとしてもよい。ただ、孔部（４）（４）（５）を設ける方が寝台（１）を通じた体感と直接聴感の相乗効果を得られるため好ましい。
【００２８】
また、寝台（１）の内部の空洞（１０）を頭部側から足部側まで延びるものとしたが、大きさはこれに限定されるものではなく、オルゴール（１００）が配置されている箇所周りのみとしてもよい。
【００２９】
［実施形態２］
次に本発明の第２の実施形態に係る本ベッドについて図５を参照しつつ説明する。
【００３０】
図５は本ベッドの側面図、図６は本ベッドの横断面図である。
【００３１】
なお、本ベッドは寝台（１）、天板（２）、足板（３）を主要構成部材としてなるが、これらは実施形態１に示したものと同一であるので同一符号を付してその説明を省略する。
【００３２】
本ベッドは、図５および図６に示すように、寝台（１）の上方にユーザ（Ｕ）を取り囲む態様のドーム部材（６）が設けられている。
【００３３】
このドーム部材（６）は、ユーザ（Ｕ）の頭部側に位置する第１ドーム部材（６１）と、ユーザ（Ｕ）の足部側に位置する第２ドーム部材（６２）とから構成され、第１ドーム部材（６１）が第２ドーム部材（６２）に対してスライドすることにより開閉可能なものとなされている。
【００３４】
これにより寝台（１）や孔部（４）（４）（５）を通じて寝台上に出たオルゴール（１００）の音楽がドーム部材（６）内で反響するようにしてユーザ（Ｕ）の周りに響き亘るため、ユーザ（Ｕ）に対してオルゴール（１００）の音楽を体全体でより一層体感させることができる。
【００３５】
また、ドーム部材（６）は上部の横断面が円弧状に形成されており、オルゴール（１００）の音楽のドーム部材（６）内における反響効率を向上させることができる。
【００３６】
また、ドーム部材（６）は表面または裏面に電磁波防御シールドが展設されており（図示略）、ドーム部材（６）外の電磁波をカットすることができ、ドーム部材（６）内のユーザ（Ｕ）をよりリラックス状態にすることができる。
【００３７】
また、ドーム部材（６）は柿渋成分を含有する塗料により塗装されており（図示略）、柿渋成分によりドーム部材（６）内の消臭効果および抗菌効果を向上させることができる。
【００３８】
なお、いずれの実施形態についても、本ベッドを寝台（１）、天板（２）および足板（３）を主構成部材としたが、これに限定されるものではなく種々の構造のベッドに適用し得る。要は寝台（１）の内部が空洞に形成され、該空洞にオルゴール（１００）が配置されていればよい。
【図面の簡単な説明】
【００３９】
【図１】第１の実施形態に係る本ベッドの側面図である。
【図２】図１の本ベッドの平面図である。
【図３】図１の本ベッドの正面図である。
【図４】図１の本ベッドの背面図である。
【図５】第２の実施形態に係る本ベッドの側面図である。
【図６】図５の本ベッドの横断面図である。
【符号の説明】
【００４０】
１・・・寝台
２・・・天板
３・・・足板
４、５・・・孔部
６・・・ドーム部材
６１・・・第１ドーム部材
６２・・・第２ドーム部材
１０・・・空洞
１００・・・オルゴール
【図１】
2010104663.tif 000003
【図２】
2010104663.tif 000004
【図３】
2010104663.tif 000005
【図４】
2010104663.tif 000006
【図５】
2010104663.tif 000007
【図６】
2010104663.tif 000008